(57)【要約】【課題】  高解像度の画像を撮影できる撮像装置から高解像度の画像を表示可能な他の装置への撮影画像の転送における転送負荷を低減させることを目的とする。【解決手段】  受信手段は、標準の動作条件時は、撮像装置より、撮影画像の全領域に係る低画質画像データを受信し、表示手段は、受信手段が受信した画像データに、撮影画像の注目箇所の領域に係る高画質画像データが含まれている場合、高画質画像データに基づいて、注目箇所の領域を高画質の画像で表示することによって上記課題を解決する。【選択図】  図３
2007081465.tif 000002
【特許請求の範囲】
【請求項１】
通信を行っている撮像装置から一定時間ごとに送信される撮影画像に係る画像データを受信する受信手段と、
前記受信手段が受信した前記画像データに基づいて、画像を表示する表示手段と、
を有し、
前記受信手段は、標準の動作条件時は、前記撮像装置より、前記撮影画像の全領域に係る低画質画像データを受信し、
前記表示手段は、前記受信手段が受信した前記画像データに、前記撮影画像の注目箇所の領域に係る高画質画像データが含まれている場合、前記高画質画像データに基づいて、前記注目箇所の領域を高画質の画像で表示することを特徴とする遠隔装置。
【請求項２】
前記表示手段は、前記受信手段が受信した前記画像データに、前記撮影画像の注目箇所の領域に係る高画質画像データと、前記撮影画像の前記注目箇所を含む全領域に係る低画質画像データと、が含まれている場合、前記高画質画像データに基づいて、前記注目箇所の領域を高画質の画像で表示すると共に、前記低画質画像データに基づいて、前記注目箇所を含む全領域を低画質の画像で表示することを特徴とする請求項１に記載の遠隔装置。
【請求項３】
前記表示手段は、前記受信手段が受信した前記画像データに、前記撮影画像の注目箇所の領域に係る高画質画像データと、前記注目箇所以外の領域に係る低画質画像データと、が含まれている場合、前記高画質画像データに基づいて、前記注目箇所の領域を高画質の画像で表示し、前記低画質画像データに基づいて、前記注目箇所以外の領域を低画質の画像で表示することを特徴とする請求項１に記載の遠隔装置。
【請求項４】
前記注目箇所の領域を指定する指定手段を更に有することを特徴とする請求項１乃至３の何れか１項に記載の遠隔装置。
【請求項５】
前記指定手段が指定した前記注目箇所の領域を示す領域情報を含む、前記注目箇所の領域に係る高画質画像データを含む前記画像データの送信要求を、前記撮像装置に送信する送信手段を更に有することを特徴とする請求項４に記載の遠隔装置。
【請求項６】
通信を行っている撮像装置から一定時間ごとに送信される撮影画像に係る画像データを受信する受信手段と、
前記受信手段が受信した前記画像データに基づいて、画像を表示する表示手段と、
前記表示手段に係る解像度を示す解像度情報を含む、前記解像度に応じた画質画像データの送信要求を、前記撮像装置に送信する送信手段と、
を有し、
前記受信手段は、標準の動作条件時は、前記撮像装置より、前記撮影画像の全領域に係る低画質画像データを受信し、
前記表示手段は、前記受信手段が前記解像度に応じた画質画像データを受信した場合、前記画質画像データに基づいて、前記撮影画像の全領域を前記画質画像データに応じた画質の画像で表示することを特徴とする遠隔装置。
【請求項７】
撮影画像に係る画像データを生成する画像処理手段と、
通信を行っている遠隔装置に一定時間ごとに前記画像データを送信する送信手段と、
を有し、
前記送信手段は、標準の動作条件時は、前記撮影画像の全領域に係る低画質画像データを送信し、前記撮影画像の注目箇所の領域が指定されると、前記注目箇所の領域に係る高画質画像データを含む前記画像データを送信することを特徴とする撮像装置。
【請求項８】
前記送信手段は、前記撮影画像の注目箇所の領域が指定されると、前記撮影画像の注目箇所の領域に係る高画質画像データと、前記撮影画像の前記注目箇所を含む全領域に係る低画質画像データと、を含む前記画像データを送信することを特徴とする請求項７に記載の撮像装置。
【請求項９】
前記送信手段は、前記撮影画像の注目箇所の領域が指定されると、前記撮影画像の注目箇所の領域に係る高画質画像データと、前記注目箇所以外の領域に係る低画質画像データと、を含む前記画像データを送信することを特徴とする請求項７に記載の撮像装置。
【請求項１０】
前記注目箇所の領域を指定する指定手段を更に有することを特徴とする請求項７乃至９の何れか１項に記載の撮像装置。
【請求項１１】
前記注目箇所の領域を示す領域情報を含む、前記注目箇所の領域に係る高画質画像データを含む前記画像データの送信要求を前記遠隔装置より受信する受信手段を更に有することを特徴とする請求項７乃至９の何れか１項に記載の撮像装置。
【請求項１２】
撮影画像に係る画像データを生成する画像処理手段と、
通信を行っている遠隔装置に一定時間ごとに前記画像データを送信する送信手段と、
解像度を示す解像度情報を含む、前記解像度に応じた画質画像データの送信要求を受信する受信手段と、
を有し、
前記送信手段は、標準の動作条件時は、前記撮影画像の全領域に係る低画質画像データを送信し、前記受信手段が前記送信要求を受信すると、前記解像度情報に基づいて、前記解像度に応じた画質画像データを送信することを特徴とする撮像装置。
【請求項１３】
遠隔装置における撮影画像表示方法であって、
通信を行っている撮像装置から一定時間ごとに送信される撮影画像に係る画像データを受信する受信ステップと、
前記受信ステップにおいて受信された前記画像データに基づいて、画像を表示する表示ステップと、
を有し、
前記受信ステップでは、標準の動作条件時は、前記撮像装置より、前記撮影画像の全領域に係る低画質画像データを受信し、
前記表示ステップでは、前記受信ステップにおいて受信された前記画像データに、前記撮影画像の注目箇所の領域に係る高画質画像データが含まれている場合、前記高画質画像データに基づいて、前記注目箇所の領域を高画質の画像で表示することを特徴とする撮影画像表示方法。
【請求項１４】
遠隔装置における撮影画像表示方法であって、
通信を行っている撮像装置から一定時間ごとに送信される撮影画像に係る画像データを受信する受信ステップと、
前記受信ステップにおいて受信された前記画像データに基づいて、画像を表示する表示ステップと、
前記画像の表示に係る解像度を示す解像度情報を含む、前記解像度に応じた画質画像データの送信要求を、前記撮像装置に送信する送信ステップと、
を有し、
前記受信ステップでは、標準の動作条件時は、前記撮像装置より、前記撮影画像の全領域に係る低画質画像データを受信し、
前記表示ステップでは、前記受信ステップにおいて前記解像度に応じた画質画像データが受信された場合、前記画質画像データに基づいて、前記撮影画像の全領域を前記画質画像データに応じた画質の画像で表示することを特徴とする撮影画像表示方法。
【請求項１５】
撮像装置における撮影画像送信方法であって、
撮影画像に係る画像データを生成する画像処理ステップと、
通信を行っている遠隔装置に一定時間ごとに前記画像データを送信する送信ステップと、
を有し、
前記送信ステップでは、標準の動作条件時は、前記撮影画像の全領域に係る低画質画像データを送信し、前記撮影画像の注目箇所の領域が指定されると、前記注目箇所の領域に係る高画質画像データを含む前記画像データを送信することを特徴とする撮影画像送信方法。
【請求項１６】
撮像装置における撮影画像送信方法であって、
撮影画像に係る画像データを生成する画像処理ステップと、
通信を行っている遠隔装置に一定時間ごとに前記画像データを送信する送信ステップと、
解像度を示す解像度情報を含む、前記解像度に応じた画質画像データの送信要求を受信する受信ステップと、
を有し、
前記送信ステップでは、標準の動作条件時は、前記撮影画像の全領域に係る低画質画像データを送信し、前記受信ステップにおいて前記送信要求が受信されると、前記解像度情報に基づいて、前記解像度に応じた画質画像データを送信することを特徴とする撮影画像送信方法。
【請求項１７】
コンピュータを、
通信を行っている撮像装置から一定時間ごとに送信される撮影画像に係る画像データを受信する受信手段と、
前記受信手段が受信した前記画像データに基づいて、画像を表示する表示手段と、
して機能させる撮影画像表示プログラムであって、
前記受信手段は、標準の動作条件時は、前記撮像装置より、前記撮影画像の全領域に係る低画質画像データを受信し、
前記表示手段は、前記受信手段が受信した前記画像データに、前記撮影画像の注目箇所の領域に係る高画質画像データが含まれている場合、前記高画質画像データに基づいて、前記注目箇所の領域を高画質の画像で表示することを特徴とする撮影画像表示プログラム。
【請求項１８】
コンピュータを、
通信を行っている撮像装置から一定時間ごとに送信される撮影画像に係る画像データを受信する受信手段と、
前記受信手段が受信した前記画像データに基づいて、画像を表示する表示手段と、
前記表示手段に係る解像度を示す解像度情報を含む、前記解像度に応じた画質画像データの送信要求を、前記撮像装置に送信する送信手段と、
して機能させる撮影画像表示プログラムであって、
前記受信手段は、標準の動作条件時は、前記撮像装置より、前記撮影画像の全領域に係る低画質画像データを受信し、
前記表示手段は、前記受信手段が前記解像度に応じた画質画像データを受信した場合、前記画質画像データに基づいて、前記撮影画像の全領域を前記画質画像データに応じた画質の画像で表示することを特徴とする撮影画像表示プログラム。
【請求項１９】
コンピュータを、
撮影画像に係る画像データを生成する画像処理手段と、
通信を行っている遠隔装置に一定時間ごとに前記画像データを送信する送信手段と、
して機能させる撮影画像送信プログラムであって、
前記送信手段は、標準の動作条件時は、前記撮影画像の全領域に係る低画質画像データを送信し、前記撮影画像の注目箇所の領域が指定されると、前記注目箇所の領域に係る高画質画像データを含む前記画像データを送信することを特徴とする撮影画像送信プログラム。
【請求項２０】
コンピュータを、
撮影画像に係る画像データを生成する画像処理手段と、
通信を行っている遠隔装置に一定時間ごとに前記画像データを送信する送信手段と、
解像度を示す解像度情報を含む、前記解像度に応じた画質画像データの送信要求を受信する受信手段と、
して機能させる撮影画像送信プログラムであって、
前記送信手段は、標準の動作条件時は、前記撮影画像の全領域に係る低画質画像データを送信し、前記受信手段が前記送信要求を受信すると、前記解像度情報に基づいて、前記解像度に応じた画質画像データを送信することを特徴とする撮影画像送信プログラム。
【請求項２１】
請求項１７又は１８に記載の撮影画像表示プログラムを記録したことを特徴とするコンピュータ読み取り可能な記録媒体。
【請求項２２】
請求項１９又は２０に記載の撮影画像送信プログラムを記録したことを特徴とするコンピュータ読み取り可能な記録媒体。
【発明の詳細な説明】
【技術分野】
【０００１】
本発明は、遠隔装置及び撮像装置に関する。
【背景技術】
【０００２】
近年、デジタル一眼レフカメラの普及に伴い、ユーザ層やカメラの用途も幅広くなり、最近では天体撮影用途のデジタル一眼レフカメラも登場してきている。天体撮影用のデジタル一眼レフカメラでは、背面の液晶モニタが電子ファインダーの機能を持ち、暗さのためにピント調節が困難である夜間撮影おいても撮影画像を確認しながらピント調節作業を行えるようになっている。
【０００３】
しかし、液晶モニタがカメラ背面に位置するため、例えば、三脚を立てて天体を撮影する際は、モニタ画面が下向きになる。したがって、下からモニタ画面を覗き込む格好となり、撮影画像の確認が困難な問題があった。また、より大きな画面でピントの確認をしたいといった要望もあった。
【０００４】
このような問題を解決する方法として、デジタル一眼レフカメラと、パソコンとを接続して遠隔撮影する方法がある。実際、このような方法は、コンパクトデジタルカメラにおいて実用化されており、コンパクトデジタルカメラで撮影した画像をパソコンのモニタ画面に表示しながら撮影することが可能となっている。ところが、デジタル一眼レフカメラにおいては、撮影画像の解像度の大きさから、撮影画像の転送に負荷がかかり、パソコンのモニタ画面上で、リアルタイムに撮影画像を表示するライブビュー表示の実現が困難な問題があった。
【０００５】
このような問題を解決するため、撮像装置から遠隔装置（例えば、パソコン）へ画像を転送する際に、低解像度の画像と、高解像度の画像とを切り替えることによって、転送負荷を低減しているものがある（例えば、特許文献１参照。）。
【０００６】
より具体的に説明すると、特許文献１の撮像装置は、低解像度の画像と、高解像度の画像とを用意しておく。そして、撮像装置は、遠隔装置からコマンドを受信すると、低解像度の画像と、高解像度の画像とを切り替えて遠隔装置へ転送することにより、転送負荷を低減している。
【０００７】
【特許文献１】特開２００３−２７４２５６号公報
【発明の開示】
【発明が解決しようとする課題】
【０００８】
しかしながら、上述した撮影画像の転送方法では、高解像度の画像を転送する際は、転送速度が極端に低下する等、転送負荷がかかってしまう問題があった。また、上述した撮影画像の転送方法では、パソコン等のモニタ画面においてライブビュー表示する際、撮影画像の一部のみが必要な場合でも、撮影画像の全てを転送してしまい、転送負荷がかかってしまう問題があった。
【０００９】
本発明は上記の点に鑑みなされたもので、高解像度の画像を撮影できる撮像装置から高解像度の画像を表示可能な他の装置への撮影画像の転送における転送負荷を低減させることを目的とする。
【課題を解決するための手段】
【００１０】
そこで、上記問題を解決するため、本発明は、通信を行っている撮像装置から一定時間ごとに送信される撮影画像に係る画像データを受信する受信手段と、前記受信手段が受信した前記画像データに基づいて、画像を表示する表示手段と、を有し、前記受信手段は、標準の動作条件時は、前記撮像装置より、前記撮影画像の全領域に係る低画質画像データを受信し、前記表示手段は、前記受信手段が受信した前記画像データに、前記撮影画像の注目箇所の領域に係る高画質画像データが含まれている場合、前記高画質画像データに基づいて、前記注目箇所の領域を高画質の画像で表示することを特徴とする。
【００１１】
本発明によれば、通信を行っている撮像装置から一定時間ごとに送信される撮影画像に係る画像データを受信する受信手段と、前記受信手段が受信した前記画像データに基づいて、画像を表示する表示手段と、を有し、前記受信手段は、標準の動作条件時は、前記撮像装置より、前記撮影画像の全領域に係る低画質画像データを受信し、前記表示手段は、前記受信手段が受信した前記画像データに、前記撮影画像の注目箇所の領域に係る高画質画像データが含まれている場合、前記高画質画像データに基づいて、前記注目箇所の領域を高画質の画像で表示することにより、例えば、撮像装置がデジタル一眼レフカメラのような高解像度の画像を撮影できる撮像装置であっても、デフォルトでは低解像度の画像を送信し、注目箇所の領域が指定されたときに、指定された領域だけ高解像度の画像を送信するので、高解像度の画像を撮影できる撮像装置から高解像度の画像を表示可能な他の装置（遠隔装置）への撮影画像の転送における転送負荷を低減させることができる。
【００１２】
また、本発明は、通信を行っている撮像装置から一定時間ごとに送信される撮影画像に係る画像データを受信する受信手段と、前記受信手段が受信した前記画像データに基づいて、画像を表示する表示手段と、前記表示手段に係る解像度を示す解像度情報を含む、前記解像度に応じた画質画像データの送信要求を、前記撮像装置に送信する送信手段と、
を有し、前記受信手段は、標準の動作条件時は、前記撮像装置より、前記撮影画像の全領域に係る低画質画像データを受信し、前記表示手段は、前記受信手段が前記解像度に応じた画質画像データを受信した場合、前記画質画像データに基づいて、前記撮影画像の全領域を前記画質画像データに応じた画質の画像で表示することを特徴とする。
【００１３】
本発明によれば、通信を行っている撮像装置から一定時間ごとに送信される撮影画像に係る画像データを受信する受信手段と、前記受信手段が受信した前記画像データに基づいて、画像を表示する表示手段と、前記表示手段に係る解像度を示す解像度情報を含む、前記解像度に応じた画質画像データの送信要求を、前記撮像装置に送信する送信手段と、
を有し、前記受信手段は、標準の動作条件時は、前記撮像装置より、前記撮影画像の全領域に係る低画質画像データを受信し、前記表示手段は、前記受信手段が前記解像度に応じた画質画像データを受信した場合、前記画質画像データに基づいて、前記撮影画像の全領域を前記画質画像データに応じた画質の画像で表示することにより、例えば、撮像装置がデジタル一眼レフカメラのような高解像度の画像を撮影できる撮像装置であっても、デフォルトでは低解像度の画像を送信し、表示手段の解像度が変更される等した場合に、解像度に応じた画質の画像を送信するので、高解像度の画像を撮影できる撮像装置から高解像度の画像を表示可能な他の装置（遠隔装置）への撮影画像の転送における転送負荷を低減させることができる。
【００１４】
また、上記問題を解決するため、本発明は、撮像装置、撮影画像表示方法、撮影画像送信方法、撮影画像表示プログラム、撮影画像送信プログラム及び記録媒体としてもよい。
【発明の効果】
【００１５】
本発明によれば、高解像度の画像を撮影できる撮像装置から高解像度の画像を表示可能な他の装置への撮影画像の転送における転送負荷をより低減させることができる。
【発明を実施するための最良の形態】
【００１６】
以下、本発明の実施例について図面に基づいて説明する。
【実施例１】
【００１７】
図１は、撮像装置１００の主要な構成を示す図である。図１において、撮像部１１０は、イメージセンサーを用いて被写体を撮像し、画像データを生成するユニットである。撮像制御部１１１は、システム制御部１２０からの指示によって撮像部１１０の動作を制御するユニットである。撮像制御部１１１は、撮像部１１０で生成された画像データの情報をシステム制御部１２０に渡す。画像処理部１１２は、システム制御部１２０が保持する画像データを用いて所定の演算処理を行い、撮像部１１０から提供される撮影情報により画像を調整し、調整後の画像データを所定の画像圧縮方式に従って圧縮するユニットである。
【００１８】
システム制御部１２０は、撮像装置１００の全体を制御するユニットである。メモリ１２１は、システム制御部１２０の動作用の定数、変数、プログラム等を記録するメモリである。また、メモリ１２１は、所定枚数の静止画像や、所定時間の動画像を記録する。
【００１９】
モードダイヤルスイッチ１３０は、電源オフ、自動撮影モード、撮影モード、パノラマ撮影モード、再生モード、マルチ画面再生・消去モード、ＰＣ接続モード等の各機能モードの切り替え設定の指示をシステム制御部１２０に入力する。
【００２０】
シャッタースイッチ１３１は、スイッチの半押し状態（ＳＷ１）に応じてＡＦ（オートフォーカス）処理、ＡＥ（自動露出）処理、ＡＷＢ（オートホワイトバランス）処理、ＥＦ（フラッシュプリ発光）処理等の動作開始の指示をシステム制御部１２０に入力する。また、シャッタースイッチ１３１は、スイッチの全押し状態（ＳＷ２）に応じて露光処理、現像処理、メモリ１２１から画像データを読み出し、リムーバブルメモリ１６１に画像データを書き込む処理等の動作開始の指示をシステム制御部１２０に入力する。なお、ここで、露光処理とは、撮像部１１０が生成した画像データをメモリ１２１へ書き込む過程の処理である。また、現像処理は、画像処理部１１２での演算を用いて行われる処理である。
【００２１】
画像表示ＯＮ／ＯＦＦスイッチ１３２は、表示部１５０のＯＮ／ＯＦＦの指示をシステム制御部１２０に入力する。操作部１３３は、各種ボタンやタッチパネル等からなるユニットである。操作部１３３は、例えば、メニューボタン、セットボタン、マクロボタン、マルチ画面再生改ページボタン、フラッシュ設定ボタン、単写／連写／セルフタイマー切り替えボタンを含む。また、更に、操作部１３３は、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン等を含んでもよい。操作部１３３も、各種の動作指示をシステム制御部１２０に入力する。
【００２２】
表示部１５０は、ＴＦＴ（Ｔｈｉｎ  Ｆｉｌｍ  Ｔｒａｎｓｉｓｔｏｒ）、ＬＣＤ（Ｌｉｑｕｉｄ  Ｃｒｙｓｔａｌ  Ｄｉｓｐｌａｙ）等から成り、メモリ１５０に書き込まれた表示用の画像データを表示するユニットである。撮像装置１００は、表示部１５０を用いて、撮像した画像データを逐次表示することにより、電子ファインダー機能を実現することができる。また、表示部１５０は、撮像装置１００の各種設定に係る情報の表示を行う。ユーザは、表示部１５０に表示された各種設定に係る情報に応じて、操作部１３３等を用いて、各種設定を変更することができる。また、表示部１５０は、システム制御部１２０の指示により、表示をＯＮ／ＯＦＦすることができる。
【００２３】
記録部１６０は、システム制御部１２０が指定した画像ファイルをリムーバブルメモリ１６１に書き込む、或いはシステム制御部１２０が指定した画像ファイルをリムーバブルメモリ１６１から読み出すユニットである。リムーバブルメモリ１６１は、メモリカードや、ハードディスク等の記録媒体である。
【００２４】
通信部３００は、遠隔装置２００と通信を行い、撮影画像や、各種情報を送受信するユニットである。
【００２５】
図２は、遠隔装置２００の主要な構成を示す図である。図２において、システム制御部２１０は、遠隔装置２００の全体を制御するユニットである。メモリ２２０は、システム制御部２１０が画像ファイルから読み込んだデータを格納するメモリである。また、メモリ２２０は、システム制御部２１０の作業領域としても使用される。
【００２６】
表示部２５０は、システム制御部２１０によりメモリ２２０に格納されている撮影画像を表示するユニットである。表示部２５０の解像度は、モニタ解像度判定部２６０により監視されており、解像度に変更があるとモニタ解像度判定部２６０は、システム制御部２１０に解像度の変更を通知する。
【００２７】
入力部２３０は、表示部２５０に表示する撮影画像において、注目領域を入力するユニットである。通信部４００は、撮像装置１００と通信を行い、撮影画像や各種情報を送受信するユニットである。
【００２８】
画像復号化部２４０は、システム制御部２１０の指示により、撮像装置１００から送信される圧縮画像を復号化し、メモリ２２０に格納するユニットである。
【００２９】
図３は、遠隔装置２００において撮影画像を表示部２５０に表示しながら、撮像装置１００の遠隔操作等を行う処理の一例を示すフローチャートである。
【００３０】
ステップＳ１０１において遠隔装置２００は、通信部３００を介して撮像装置１００から送られてくる撮影画像を表示部２５０等のモニタ画面に表示するか否かを判定する。遠隔装置２００は、撮影画像をモニタ画面に表示すると判定すると、ステップＳ１０２に進み、撮影画像をモニタ画面に表示しないと判定すると、図３に示す処理を終了する。
【００３１】
ステップＳ１０２では、遠隔装置２００が、外部入力により注目領域が指定されたか否かを判定する。遠隔装置２００は、外部入力により注目領域が指定されたと判定すると、ステップＳ１０３に進み、注目領域が指定されなかったと判定すると、ステップＳ１０８に進む。
例えば、遠隔装置２００は、入力部２３０等を介して、ユーザが指定した注目領域を示す注目領域情報を受け取ると、外部入力により注目領域が指定されたと判定する。
【００３２】
ステップＳ１０８では、遠隔装置２００が、撮像装置１００より送られてくる低解像度の画像（低解像度画像）を受信する。なお、本実施例においては、撮像装置１００より送られてくる画像は、デフォルトとして、画像の転送効率を高めるため、低解像度画像である。以下の実施例においても同様である。
【００３３】
つまり、撮像装置１００は、画像処理部１１２において生成した低解像度画像を、デフォルトとして、遠隔装置２００に送信する。
【００３４】
一方、ステップＳ１０３では、遠隔装置２００が、撮像装置１００に対し、注目領域情報を含む高解像度の画像（高解像度画像）の取得を要求するコマンドを送信する。撮像装置１００のシステム制御部１２０は、前記コマンドを受信すると、画像処理部１１２に、注目領域情報で指定される注目領域の高解像度画像を要求する。
【００３５】
前記要求を受け取ると、画像処理部１１２は、ＪＰＥＧ２０００等の圧縮方法を用いて、注目領域情報で指定される注目領域の高解像度画像を生成すると共に、全領域の低解像度画像を生成する。なお、本実施例においては、画像の圧縮方式としてＪＰＥＧ２０００方式を用いた説明を行ったが、このことは本発明の実施を制限するものではない。以下の実施例においても同様である。
【００３６】
撮像装置１００のシステム制御部１２０は、画像処理部１１２より受け取った、注目領域の高解像度画像と、全領域の低解像度画像とを、通信部３００を介して遠隔装置２００へ送信する。
【００３７】
ステップＳ１０３に続いてステップＳ１０４に進み、遠隔装置２００は、注目領域の高解像度画像と、全領域の低解像度画像とを受信する。ステップＳ１０５では、遠隔装置２００が、撮像装置１００より受け取った画像（撮影画像）を復号化する。ステップＳ１０５に続いてステップＳ１０６に進み、遠隔装置２００は、復号化した撮影画像を表示部２５０等のモニタ画面に表示する。
【００３８】
ここで、撮影画像を表示部２５０等のモニタ画面に表示する場合のＧＵＩ（Ｇｒａｐｈｉｃａｌ  Ｕｓｅｒ  Ｉｎｔｅｒｆａｃｅ）の例を、図４に示す。図４は、撮影画像を表示部２５０等のモニタ画面に表示する場合のＧＵＩを示す図（その１）である。図４に示されるように、遠隔装置２００は、例えば、注目領域の高解像度（高画質）画像と、全領域の低解像度（低画質）画像とを表示部２５０等のモニタ画面に表示する。図４の例では、撮影画像の内、ユーザによって指定された注目領域がで、且つ別ウィンドウとして強調表示されている。
【００３９】
再び図３の説明に戻り、ステップＳ１０７では、遠隔装置２００が、撮影を終了するか否かを判定する。遠隔装置２００は、撮影を終了すると判定すると、図３に示す処理を終了し、撮影を終了しないと判定すると、ステップＳ１０２に戻る。
【００４０】
なお、ＪＰＥＧ２０００の圧縮方式にはＲＯＩ（Ｒｅｇｉｏｎ  ｏｆ  Ｉｎｔｅｒｅｓｔ）と呼ばれる技術がある。ＲＯＩとは、１枚の画像中の特定領域と、それ以外の領域と異なる圧縮率で符号化する技術である。
【００４１】
画像処理部１１２は、システム制御部１２０より、前記要求を受け取ると、ＲＯＩを用いて、注目領域情報で指定される注目領域の高解像度画像を生成すると共に、注目領域情報で指定される領域以外の領域の低解像度画像を生成するようにしてもよい。つまり、画像処理部１１２は、異なる圧縮率を用いて、注目領域と、それ以外の領域とで異なる解像度（又は圧縮率）の画像を生成するようにしてもよい。なお、異なる解像度（又は圧縮率）の画像とは、異なる画質の画像と同義である。
【００４２】
撮像装置１００のシステム制御部１２０は、画像処理部１１２が生成した注目領域の高解像度画像と、注目領域以外の領域の低解像度画像とを、通信部３００を介して遠隔装置２００へ送信する。遠隔装置２００は、注目領域の高解像度画像と、注目領域以外の領域の低解像度画像とを、撮像装置１００より受信すると、画像復号化部２４０において復号化する。そして、遠隔装置２００は、注目領域の高解像度画像と、注目領域以外の領域の低解像度画像とを、表示部２５０等のモニタ画面に表示する。
【００４３】
以下、撮影画像を表示部２５０において表示する場合のＧＵＩの例を、図５に示す。図５は、撮影画像を表示部２５０において表示する場合のＧＵＩを示す図（その２）である。図５に示されるように、表示部２５０は、撮影画像の内、ユーザによって指定された注目領域のみ高解像度で表示する。
【実施例２】
【００４４】
以下、注目領域の指定（又は確定）方法の他の例を、実施例２に示す。例えば、上述した実施例１では、ユーザが、遠隔装置２００を操作して、高解像度で表示したい注目領域を指定した。しかしながら、撮像装置１００が、オートフォーカスにより検出した合焦位置（ＡＦ合焦位置）から注目領域を自動的に確定（又は指定）するようにしてもよい。撮像装置１００は、例えば、確定した注目領域の高解像度画像を生成すると共に、注目領域以外の領域の低解像度画像を生成する。そして、撮像装置１００は、例えば、注目領域の高解像度画像と、注目領域以外の領域の低解像度画像と、前記合焦位置の情報（合焦位置情報）とを遠隔装置２００へ送信する。遠隔装置２００は、上述したように、注目領域の高画質画像と、注目領域以外の領域の低画質画像とを、表示部２５０等のモニタ画面に表示すると共に、図６に示されるように合焦位置情報を表示する。
【実施例３】
【００４５】
以下、注目領域の指定の他の例を、実施例３に示す。例えば、上述した実施例２では、撮像装置１００が、ＡＦ合焦位置注目領域を自動的に確定した。しかしながら、撮像装置１００が、測距点の情報（測距点情報）を遠隔装置２００に送信する。そして、遠隔装置２００が、受信した測距点情報を、表示部２５０等のモニタ画面に表示し、図７に示されるような矢印のポインタ等で、ユーザに注目領域を指定させるようにしてもよい。
【００４６】
遠隔装置２００は、ユーザによって注目領域が指定されると、ユーザが指定した注目領域を示す注目領域情報を含む高解像度画像を要求するコマンドを撮像装置１００に対して送信する。撮像装置１００は、前記コマンドを受け取ると、例えば、注目領域情報が示す注目領域の高解像度画像を生成すると共に、注目領域以外の領域の低解像度画像を生成する。そして、撮像装置１００は、例えば、注目領域の高解像度画像と、注目領域以外の領域の低解像度画像とを遠隔装置２００へ送信する。遠隔装置２００は、上述したように、注目領域の高画質画像と、注目領域以外の領域の低画質画像とを、表示部２５０等のモニタ画面に表示する。
【実施例４】
【００４７】
以下、ユーザによってモニタ画面の解像度が変更された場合の例を、実施例４に示す。図８は、遠隔装置２００において撮影画像を表示部２５０に表示しながら、撮像装置１００の遠隔操作等を行っている際に、ユーザによってモニタ画面の解像度が変更された場合の処理の一例を示すフローチャートである。
【００４８】
ステップＳ２０１において遠隔装置２００は、通信部３００を介して撮像装置１００から送られてくる撮影画像を表示部２５０等のモニタ画面に表示するか否かを判定する。遠隔装置２００は、撮影画像をモニタ画面に表示すると判定すると、ステップＳ２０２に進み、撮影画像をモニタ画面に表示しないと判定すると、図８に示す処理を終了する。
【００４９】
ステップＳ２０２では、遠隔装置２００が、モニタ画面の解像度が変更されたか否かを判定する。遠隔装置２００は、モニタ画面の解像度が変更されたと判定すると、ステップＳ２０３に進み、解像度が変更されていないと判定すると、ステップＳ２０８に進む。
例えばユーザが表示部２５０等のモニタ画面の解像度を変更すると、モニタ解像度判定部２６０は、解像度の変更をシステム制御部２１０に通知する。解像度の変更がシステム制御部２１０に通知されると、遠隔装置２００は、モニタ画面の解像度が変更されたと判定する。
【００５０】
ステップＳ２０８では、遠隔装置２００が、撮像装置１００より送られてくる低解像度画像を受信する。一方、ステップＳ２０３では、遠隔装置２００は、撮像装置１００に対し、変更された解像度を示す解像度情報を含む、解像度情報に応じた解像度変更画像の取得を要求するコマンドを送信する。撮像装置１００のシステム制御部１２０は、前記コマンドを受信すると、画像処理部１１２に、解像度情報に応じた解像度変更画像を要求する。
【００５１】
前記要求を受け取ると、画像処理部１１２は、ＪＰＥＧ２０００等の圧縮方法を用いて、解像度情報に応じた解像度変更画像を生成する。撮像装置１００のシステム制御部１２０は、画像処理部１１２より受け取った、解像度情報に応じた解像度変更画像を、通信部３００を介して遠隔装置２００へ送信する。
【００５２】
ステップＳ２０３に続いてステップＳ２０４に進み、遠隔装置２００は、解像度情報に応じた解像度変更画像を受信する。ステップＳ２０５では、遠隔装置２００が、撮像装置１００より受け取った画像（撮影画像）を復号化する。ステップＳ２０５に続いてステップＳ２０６に進み、遠隔装置２００は、復号化した撮影画像を表示部２５０等のモニタ画面に表示する。
【００５３】
ステップＳ２０７では、遠隔装置２００が、撮影を終了するか否かを判定する。遠隔装置２００は、撮影を終了すると判定すると、図８に示す処理を終了し、撮影を終了しないと判定すると、ステップＳ２０２に戻る。
【００５４】
以上、上述した各実施例によれば、高解像度の画像を撮影できる撮像装置１００から高解像度の画像を表示可能な他の装置（遠隔装置２００）への撮影画像の転送における転送負荷を低減させることができる。
【００５５】
（他の実施例）
各実施例の目的は、上述した実施例の機能を実現するソフトウェアのプログラムを記録した記録媒体を、システム或いは装置に供給し、そのシステム或いは装置のコンピュータが記録媒体に格納されたプログラムを読み出し実行することによっても達成される。なお、ここで、コンピュータとは、例えば、ＣＰＵ（Ｃｅｎｔｒａｌ  Ｐｒｏｃｅｓｓｉｎｇ  Ｕｎｉｔ）や、ＭＰＵ（Ｍｉｃｒｏ  Ｐｒｏｃｅｓｓｉｎｇ  Ｕｎｉｔ）等のことである。この場合、記録媒体から読み出されたプログラム自体が上述した実施例の機能を実現することになり、プログラムはもとより、そのプログラムを記録した記録媒体も本発明を構成する。
【００５６】
以上、本発明の好ましい実施例について詳述したが、本発明は係る特定の実施例に限定されるものではなく、特許請求の範囲に記載された本発明の要旨の範囲内において、種々の変形・変更が可能である。
【図面の簡単な説明】
【００５７】
【図１】撮像装置１００の主要な構成を示す図である。
【図２】遠隔装置２００の主要な構成を示す図である。
【図３】遠隔装置２００において撮影画像を表示部２５０に表示しながら、撮像装置１００の遠隔操作等を行う処理の一例を示すフローチャートである。
【図４】撮影画像を表示部２５０等のモニタ画面に表示する場合のＧＵＩを示す図（その１）である。
【図５】撮影画像を表示部２５０において表示する場合のＧＵＩを示す図（その２）である。
【図６】ＡＦ合焦位置から注目領域を自動的に確定する例を示す図である。
【図７】測距点情報に基づいて、ユーザが注目領域を指定する例を示す図である。
【図８】遠隔装置２００において撮影画像を表示部２５０に表示しながら、撮像装置１００の遠隔操作等を行っている際に、ユーザによってモニタ画面の解像度が変更された場合の処理の一例を示すフローチャートである。
【符号の説明】
【００５８】
１００  撮像装置
１１０  撮像部
１１１  画像処理部
１１２  撮像制御部
１２１  メモリ
１３０  モードダイヤルスイッチ
１３１  シャッタースイッチ
１３２  画像表示ＯＮ／ＯＦＦスイッチ
１３３  操作部
１５０  表示部
１６０  記録部
１６１  リムーバブルメモリ
２００  遠隔装置
２１０  システム制御部
２２０  メモリ
２３０  入力部
２４０  画像復号化部
２５０  表示部
２６０  モニタ解像度判定部
３００  通信部
４００  通信部
【図１】
2007081465.tif 000003
【図２】
2007081465.tif 000004
【図３】
2007081465.tif 000005
【図４】
2007081465.tif 000006
【図５】
2007081465.tif 000007
【図６】
2007081465.tif 000008
【図７】
2007081465.tif 000009
【図８】
2007081465.tif 000010